(57)【特許請求の範囲】
【請求項１】
地面または他の下張り床面に固定する必要がない浮動式配列で、前記地面または他の下張り床面上に直接設置される、発泡ポリプロピレン製品（「ＥＰＰ」）から形成された弾力性アンダーパッドと、前記弾力性アンダーパッド上に配置された表面被覆と、を含む、取外し可能かつ交換可能な弾力性床面であって、
前記弾力性アンダーパッドは、厚みが約１／２インチ〜４インチ（１３ｍｍ〜１０２ｍｍ）の、手で持ち運び可能な複数のパネルの形状で提供され、そのパネルのエッジが互いに連結されて所望の区域を覆うように配列して組み立てられるものであり、
前記表面被覆は、広葉樹床張り材、合成ゴムおよび／またはプラスチック床張りタイルおよびパネル、ゴム床張りタイルおよびパネル、積層木材床張り材、住宅用および業務用カーペット、屑ゴム表面塗装材、ＥＰＤＭ（エチレン−プロピレンタポリマー）表面塗装材とポリウレタン表面塗装材からなる群から選ばれ、かつその厚みが約１／８インチ〜４インチ（３ｍｍ〜１０２ｍｍ）であり、
前記発泡ポリプロピレン製品（「ＥＰＰ」）が、約１．１〜３．５ポンド／立体フィート（０．０１８〜０．０５６ｇ／ｃｍ３）の密度をもつ連続気孔構造のシートまたはパッドに成形された、約１．１〜２．８ポンド／立体フィート（０．０１８〜０．０４５ｇ／ｃｍ３）の密度をもつポリプロピレン発泡ビーズである、弾力性床面。
【請求項２】
前記表面被覆は、連続した露出面を形成するように、前記パネルのエッジに近接してまたは合致して、前記弾力性アンダーパッドを被覆している、請求項１に記載の弾力性床面。
【請求項３】
前記表面被覆は、複数の取外し可能な床面単位を形成するように、前記パネルのエッジを覆わないように前記弾力性アンダーパッドを被覆している、請求項１に記載の弾力性床面。
【請求項４】
取外し可能かつ交換可能である弾力性床面を、地面または他の下張り床面上に取り付ける方法であって、
発泡ポリプロピレン製品（「ＥＰＰ」）から形成された、厚みが約１／２インチ〜４インチ（１３ｍｍ〜１０２ｍｍ）である、手で持ち運び可能な複数のパネルの形状の弾力性アンダーパッドを準備する工程と、
前記弾力性アンダーパッドを、地面または他の下張り床面に固定する必要がない浮動式配列で、前記パネルのエッジが互いに連結されて、所望の区域を覆うように配列して、前記地面または他の下張り床面上に直接設置する工程と、
前記弾力性アンダーパッド上に、厚みが約１／８インチ〜４インチ（３ｍｍ〜１０２ｍｍ）の表面被覆を被覆する工程と、
を含み、
前記前記発泡ポリプロピレン製品（「ＥＰＰ」）が、約１．１〜３．５ポンド／立体フィート（０．０１８〜０．０５６ｇ／ｃｍ３）の密度をもつ連続気孔構造のシートまたはパッドに成形された、約１．１〜２．８ポンド／立体フィート（０．０１８〜０．０４５ｇ／ｃｍ３）の密度をもつポリプロピレン発泡ビーズであり、
前記表面被覆が、広葉樹床張り材、合成ゴムおよび／またはプラスチック床張りタイルおよびパネル、ゴム床張りタイルおよびパネル、積層木材床張り材、住宅用および業務用カーペット、屑ゴム表面塗装材、ＥＰＤＭ（エチレン−プロピレンタポリマー）表面塗装材とポリウレタン表面塗装材からなる群から選ばれるものである、方法。
【請求項５】
隣接する前記パネルのエッジを連結させて、前記パネルを相互に固定する工程をさらに含む、請求項４に記載の方法。
【請求項６】
連続した露出面を形成するように、前記表面被覆を、前記パネルのエッジに近接または合致させて、前記弾力性アンダーパッド上に被覆する、請求項４に記載の方法。
【請求項７】
複数の取外し可能な床面単位を形成するように、前記表面被覆を、前記パネルのエッジを覆わないように前記弾力性アンダーパッド上に被覆する、請求項４に記載の方法。
【請求項８】
取外し可能かつ交換可能である弾力性床面を、地面または他の下張り床面上に取り付ける方法であって、
発泡ポリプロピレン製品（「ＥＰＰ」）から形成された、厚みが約１／２インチ〜４インチ（１３ｍｍ〜１０２ｍｍ）であるロール形状の弾力性アンダーパッドパネルを準備する工程と、
地面または他の下張り床面に固定する必要がない浮動式配列で、前記地面または他の下張り床面上に、前記ロール形状の弾力性アンダーパッドパネルを直接展開する工程と、
前記弾力性アンダーパッドパネル上に、厚みが約１／８インチ〜４インチ（３ｍｍ〜１０２ｍｍ）の表面被覆を、被覆する工程と、
を含み、
前記前記発泡ポリプロピレン製品（「ＥＰＰ」）が、約１．１〜３．５ポンド／立体フィート（０．０１８〜０．０５６ｇ／ｃｍ３）の密度をもつ連続気孔構造のシートまたはパッドに成形された、約１．１〜２．８ポンド／立体フィート（０．０１８〜０．０４５ｇ／ｃｍ３）の密度をもつポリプロピレン発泡ビーズであり、
前記表面被覆が、広葉樹床張り材、合成ゴムおよび／またはプラスチック床張りタイルおよびパネル、ゴム床張りタイルおよびパネル、積層木材床張り材、住宅用および業務用カーペット、屑ゴム表面塗装材、ＥＰＤＭ（エチレン−プロピレンタポリマー）表面塗装材とポリウレタン表面塗装材からなる群から選ばれるものである、方法。
【発明の詳細な説明】
【技術分野】
【０００１】
本発明は、屋内および屋外用途の改良合成床張り面に関するものである。
【背景技術】
【０００２】
屋内および屋外用途の典型的な床張り材料は、普通に見られ、かつ安価に処理または製造される天然および合成の材料である。このような材料は、広範囲な一般的かつ特殊な用途をもち、その一部はこの材料の特別な性質を助長する。このような材料の特殊な性質の一部は、面が耐える重量、その作業性、耐久性、弾力性、衝撃吸収性、圧縮特性とエネルギー消散性、接触時の回復性、音および温度絶縁性、接触時の感触と磨耗性、滑りまたは転がり抵抗、気孔率、耐水性、耐候性、耐薬品性、メンテナンス容易性、環境への優しさ、とアレルギーおよび毒性問題に関係する。
【０００３】
床張り材料の通常の用途は、地面上および多階層ビルデイング構造内の住宅用および業務用床張り面、屋上広場、スポーツおよび運動場特別仕様面、装飾的または快適被覆および表面を含む。これらは、多目的の体育館用合成床張り材、体育館用広葉樹床張り材、人工テニスコート、バックヤード人工競技コート、子供用の安全な運動場区域、プール、歩道および他の娯楽区域、住宅用および業務用広葉樹および積層木材床表面仕上げ材、業務用高交通用合成および天然ゴム床表面仕上げ材、住宅用および業務用カーペットおよびカーペットクッション床表面仕上げ材、と屋上材料を含む。一般に知られた住宅用および業務用床被覆材の特殊な例は、広葉樹およびカーペット床張り材、ゴム製タイルおよびパネル、合成ゴム製タイルおよびパネル、合成プラスチック製タイルおよびパネル、積層された「浮動式」木材床面、ポリウレタン塗装床被覆材およびＥＰＤＭ（エチレン−プロピレンタポリマー）表面仕上げ材、と運動場区域で使用される屑ゴム塗装材を含む。
【０００４】
これらの多くの多様な材料を使用する１つの狙いは、クッション性−吸収性の適切な床張り面を作ることであり、即ち柔軟な面が、床を踏みつけたときの快適感を与え、転倒負傷を防ぎ、かつ競技適性を維持する。これは、バスケットボール、ラケットボールなどのスポーツを行なう面およびテニスコート、ランニングトラックに特に適用でき、しかも全てのビルデイング内の一般歩行に対しても快適であることは明らかである。他の主要な狙いは、音と熱の移動を遮断する材料を提供することである。このようにして、この床張り材料は、多階層構造の床間の騒音を最小にし、かつ周囲の地面または空気に対する熱損失を遮断する。さらに、他の焦点は、下張り床または他の基礎をなす面に釘打ちまたは接着する必要がない利点をもたらす「懸垂式」または「浮動式」床張り面による取り付け方法である。これらの望ましい特徴を含む任意の材料は、適切に耐久性があって十分な寿命をもたなければならず、十分に安価で普通に使用されなければならず、かつ取り付けとメンテナンスが容易でなければならない。典型的には、多くの床張り材料は、取り付けとメンテナンスを容易にするために、シート、パネル、スラブまたはロール形状で提供される。
【０００５】
多くの現行の床張り材料は、１つまたはそれより多い性質で幾つかの欠点をもち、それがこれらの材料を望ましくないものにしている。多くの広葉樹および合成床張り材料の場合に、これらの材料は、歩行またはスポーツ競技に快適な材料を作り出す弾力性または衝撃吸収性を欠くことになるかも知れない。これらの材料は、特殊フレームまたは梁など支持のために種々の複合下張り床配列を必要とすることがあり、かつ下張り床の小さな凹凸を隠し切れないことがある。加えて、現行の床張り材料は、短時間、低費用で地面または下張り床配列に固定されなければならず、これは、取り付けおよび交換のために後刻の取外しの両方で、メンテナンスまたは床交換目的（同一の場所におけるスポーツイベントの入れ替えなど）に対して不利になることがある。その他の床張り材は、地面に直接取り付けられたとき、または防水性が必要な他の用途で十分な防水性をもたない。その他の配列で、多くの材料は、順次の、積層された、またはアンダパッド配列で、低費用かつ短時間の試みで用い、個々の材料成分のそれぞれの性質から組み合わされた利点を得ている。このような材料の例は、リサイクル自動車タイヤ、屑ゴム製品、スポンジゴム、繊維質クッションおよび弾力性ポリウレタンフォームを含む。時には、積層材料は、ポリウレタン接着剤または他の接着剤を用いて緊密に固定されなければならず、取り付け時間とコストを増やす。
【０００６】
したがって、音および熱遮断性、水分障壁性または完全防水性、および衝撃吸収性の組み合わされた所望する性質をもち、多くの材料を順次または他と組み合わせて用いる必要を避けて、使用を容易にしかつメンテナンスを免除し、かつ複雑な取り付けに関する時間とコストを回避する、改良された床張り材料に対するニーズがある。当業界に存在する多くの材料は、このような望ましい床張り面が見出されないことを説明している。
【発明の開示】
【課題を解決するための手段】
【０００７】
本発明は、便利なデイメンジョンと密度を変更することによりパネル、スラブまたはシート形態で、地面または他の基盤または下張り床面上に直接設置される弾力性アンダーパッドとして、発泡ポリプロピレンビーズ（発泡ポリプロピレン製品、または「ＥＰＰ」として知られる）を用いた弾力性床面を意図している。このアンダーパッドは、任意の適切な床表面仕上げ材（広葉樹、積層木材、業務用および住宅用カーペット、プラスチック、天然ゴムまたは合成ゴム製タイルなど）、スポーツ競技表面用仕上げ材（体育館用広葉樹、プラスチックおよび／または合成ゴム製タイルおよびパネル）または装飾およびスポーツ表面塗装材（屑ゴム表面仕上げ材など）、ＥＰＤＭ（エチレン−プロピレンタポリマー）表面塗装材、ポリウレタン表面塗装材または他の適切な塗装材により任意選択的に被覆されてもよい。ＥＰＰは、自動車および包装産業界、頭部保護ヘルメットで衝撃吸収性材料として、かつ海洋産業界では浮揚力を向上するために、本来設計され、かつ数年間使用された。しかし、本発明者が知る限りでは、この材料は、パネル、スラブまたはシートの形態で、アンダーパッドとしてフローリング産業のために使用されたことがない。また、この材料は、適切な屋外耐性の床被覆材料と組み合わせて、屋根ふき膜材として用いられてもよい。
【０００８】
このＥＰＰ材料は、４フィート×６フィート（１２０ｃｍ×１８０ｃｍ）、４フィート×８フィート（１２０ｃｍ×２４０ｃｍ）の標準合板シートに共通の形態を含む、手で持ち運び可能な任意の所望する寸法のパネル、スラブまたはシートとして、または１２フィート（３．６ｍ）、１６フィート（４．８ｍ）、２０フィート（６．０ｍ）、２４フィート（７．２ｍ）など所望の幅×任意の所望する長さのロールで使用されてもよい。これは、約１／８インチ〜１２インチ（３ｍｍ〜３０．５ｃｍ）などの便利な厚みで提供されてもよい。本発明は、約１．１〜３．５ポンド／立方フィート（０．０１８〜０．０５６ｇ／ｃｍ3）の密度をもつ連続気孔構造のシートまたはパッドに成形された、概略で約１．１〜２．８ポンド／立方フィート（０．０１８〜０．０４５ｇ／ｃｍ3）の密度をもつポリプロピレン発泡ビーズを使用することを意図している。床面被覆は、約１／８インチ〜４インチ（３ｍｍ〜１０２ｍｍ）の厚さで提供されてもよい。
【０００９】
弾力性床面の取り付け方法は、好ましくはアンダーパッド材料を支持表面に固定することなく、手で持ち運び可能なパネル、スラブまたはシート状のＥＰＰ材料アンダーパッドを提供すること、それらを所望の形態に切断すること、およびそれらを地面または他の基盤または下張り床支持面に直接取り付けることを含む。次に、このアンダーパッドは、任意の適切な床表面仕上げ材、スポーツ競技用表面仕上げ材または装飾およびスポーツ用表面塗装材で、スプレー、刷毛塗り、スプレッデイングまたは他の適切な塗布操作により被覆される。
【００１０】
このように、本発明の1つの目的は、連続気孔の、成形されたポリプロピレン発泡ビーズから形成された、床面のための弾力性アンダーパッド材料を提供するものであり、コスト効果があり、取り付けおよびメンテナンスが容易で、防水性または耐水性で、音および熱絶縁性で、かつ材料の従来の組み合わせに起因する複雑な取り付け作業に関連する時間とコストを回避する。
【００１１】
本発明のこれらおよび他の目的と利点は、以下の説明（その一部は図面である）を読むことにより明白になるであろう。
【００１２】
図１を参照すれば、全体を１０として、本発明の弾力性床面の断面図が示される。弾力性床面１０は、弾力性の、成形された連続気孔の発泡ポリプロピレン（ＥＰＰ）ビーズアンダーパッド１２を含み、好ましくは手で持ち運び可能なパネル、スラブまたはシート形状で提供されてもよい。このＥＰＰ材料は、弾力性、即ち衝撃吸収性、非気孔性、即ち防水性、および音と熱伝達に関する絶縁性に向いている。このＥＰＰアンダーパッド１２は、特殊な用途および弾力性床面が適用される表面に応じて、所望する任意の厚みでよい。ＥＰＰアンダーパッド１２の典型的厚みは、約１／８インチ〜１２インチ（３ｍｍ〜３０．５ｃｍ）になるであろう。しかし、殆どの用途で、好ましい厚みは、約１／２インチ〜４インチ（１３ｍｍ〜１０２ｍｍ）であろう。また、ＥＰＰアンダーパッド１２のパネル、スラブまたはシートは、輸送と作業性に都合がよい任意の所望の寸法、４フィート×６フィート（１２０ｃｍ×１８０ｃｍ）の形態、４フィート×８フィート（１２０ｃｍ×２４０ｃｍ）の標準合板シートに共通の形態、および１２フィート（３．６ｍ）、１６フィート（４．８ｍ）、２０フィート（６．０ｍ）、２４フィート（７．２ｍ）など所望の幅×任意の所望する長さのロールを含む寸法で提供されてもよい。このＥＰＰアンダーパッド１２を構成するポリプロピレン発泡ビーズは、典型的には約１．１〜２．８ポンド／立方フィート（０．０１８〜０．０４５ｇ／ｃｍ3）の概略の密度であり、かつ約１．１〜３．５ポンド／立方フィート（０．０１８〜０．０５６ｇ／ｃｍ3）の密度をもつ連続気孔構造のシートまたはパッドに成形される。
【００１３】
また、弾力性床面10は、適切な床仕上げ材、スポーツ競技用表面仕上げ材または装飾表面塗装材として用いられる、ＥＰＰアンダーパッド１２上に配置された表面被覆１４を含むように示されている。この表面被覆１４は、特殊な用途として所望される任意の材料であればよい。この表面被覆１４に対する好ましい材料選択は、広葉樹床張り材、合成ゴムおよび／またはプラスチック床張りタイルおよびパネル、天然ゴム製床張りタイルおよびパネル、積層木材床張り材、住宅用および業務用カーペット、と屑ゴム表面塗装材、ＥＰＤＭ（エチレン−プロピレンタポリマー）表面塗装材またはポリウレタン表面塗装材を含む表面塗装材を含むが、これに限定されない。表面被覆１４に対する好適な厚みは、約３／８インチ〜１インチ（９ｍｍ〜２．６ｃｍ）の範囲であるが、任意の適切な厚みが用いられてもよい。超衝撃吸収性が所望される用途では、運動場用ＥＰＤＭ塗装材などのより厚い表面被覆１４が用いられてもよい。また、表面被覆１４は、表面外観および／または性能を高めるために任意の適切な着色材または織物添加物により高められてもよい。
【００１４】
本発明の弾力性床面１０は、圧縮砂、土、アスファルト、コンクリートスラブ、木質根太、合板、セラミック、テラゾー床および他の表面下の土壌を含む任意のタイプの下地床または基盤または下張り支持システム上に容易に設置できる。また、下張り面の凹凸を隠すことができ、簡便な取り付け法となる。このＥＰＰアンダーパッド１２の軽量構造は、取り扱い容易なパネル、スラブまたはシートをもたらし、４フィート×６フィート（１２０ｃｍ×１８０ｃｍ）、１インチ（２．５４ｃｍ）の厚さで約２．５〜４ポンド（１．１ｋｇ〜１．８ｋｇ）の重量である。これは、取り付けに必要な時間と労力を減少させ、かつ、そうでなければ、大きな重量の多層床張り構成成分を支持するために必要な下張り床構造の総量を減少させることができる。弾力性または衝撃吸収性、音および熱絶縁性、水分障壁性および完全防水性の組み合わされた性質は、コンクリート下張り床上または土壌上に直接などの床張り用途を含む、多くの床張り用途に対して、弾力性床面１０に好ましいエネルギー、時間およびコスト低減の選択をさせる。非気孔性のＥＰＰ下張り材料は、本明細書に記載のタイプの合成被覆材を、その上に直接固定させて便利である。上記特性と合わせて、輸送と取り付けの便宜は、弾力性床面１０を、従来の多数構成成分の床張りシステムに比べて、少数の構成成分、薄い厚み、少ない重量および改良された性能をもつ適切な低コストの交換材にする。
【００１５】
本発明の弾力性床面１０に対する適切な用途の例は、地面上および多階層ビルデイング構造内の住宅用および業務用床張り面、屋上広場、スポーツおよび運動場特別仕様面、装飾的または快適被覆および表面を含む屋内および屋外用途を網羅する。本発明は、バスケットボール、ラケットボール、スカッシュ、テニスおよび他のゲームおよびコート面、ランニングトラック、子供用の安全な運動場区域、プール、歩道および他の娯楽区域などスポーツ用表面の用途に対し、並びに任意の建築物および屋上広場内の一般の歩行面または競技面に対する本床張り面を特に意図している。本発明の床張り面は、歩行に対する一般の快適さとスポーツ競技における安全のための弾力を提供する。特に、床面１０の弾力は、所望するように調節が可能であり、クッションおよび衝撃吸収、骨格および筋肉損傷の保護で高性能を、疲労を導く垂直方向衝撃の低減と競合スポーツ競技のためにエネルギー回復を提供すると考えられる。ＥＰＰパネルのクッション特性は、耐疲労床仕上げ材として、足移動の衝撃を９０％まで吸収し、かつ摩擦の減少により被覆材１４の寿命を５０％加算できる。加えて、ＥＰＰアンダーパッド材料は、高抵抗性と圧縮特性をもち、それ故、一部の他の床張り構成成分が固まりまたは破壊するが、この材料はその寿命を通して固まりまたは破壊する傾向がない。ＥＰＰアンダーパッド材料は、接触時、永久変形することなく、その原型に戻る傾向を有する。本発明の弾力性床面１０は、環境に優しくかつリサイクル性があり、非アレルギー性かつ無毒性であると考えられ、全ての該当する燃焼性標準を満足するか超越し、かつ水分および多くの化学薬品との接触による破壊に耐性がある。
【００１６】
本発明の弾力性床面１０を取り付ける方法において、パネル、スラブ、シートまたはロール状のＥＰＰアンダーパッド１２が、取り付けサイトにもたらされる。このパネル、スラブまたはシートが、隣接する様式、エッヂ・ツー・エッヂ、エッヂ結合または「キー」結合で配列され、かつ地面または他の下張り床支持面上に直接に「懸垂式」または「浮動式」の様式で整頓して敷き詰められてもよい。また、ロールは、地面または他の下張り床支持面上に直接に「懸垂式」または「浮動式」の様式で整頓して展開される。また、これらは、必要な場合、壁に接触する表面の周辺または障害物周辺などで、形成されるべき面として任意の所望される特注寸法に切断されてもよい。従来のフローリングシステムを上まわる利点として、ＥＰＰアンダーパッド１２は、釘打ち、接着または別な方法で、下張り床または他の下張り支持面に固定される必要がない。これは、弾力性床面１０の後のメンテナンスおよび交換のための取り外し、または一開催場所で行なわれる複数のスポーツ催事と同時に起きる周期的床面の交換を助ける。次に、このアンダーパッド１２は、スプレー、刷毛塗り、スプレッデイングまたは他の適切な塗布操作により、本明細書に述べたタイプと厚みを有する適切な床表面仕上げ材、スポーツ競技用表面仕上げ材または装飾表面被覆材１４で被覆される。任意選択的に、防水性が問題にならない区域などでは、表面被覆1４は、パネル、スラブまたはシート状のアンダーパッド１２のエッジに接近してかつ合致して塗布されてもよく、それにより、全体として、取り外し可能かつ交換可能なパネルが弾力性床面として創造される。
【００１７】
（特定の実施例１）
弾力性体育館床面が、発泡ポリプロピレン製品（「ＥＰＰ」）から形成された、１６フィート（４．８ｍ）幅、１インチ（２４ｍｍ）厚の弾力性アンダーパッド材料からなる多数のロールを提供することにより取り付けられる。このロールが、浮動式配列で現存するコンクリート体育館下張り床面上に直接展開され、かつ所望する体育館床面サイズに切断される。展開されたアンダーパッド材料のエッジは、互いに連結されて、体育館全体の床に対して連続した弾力性アンダーパッドを形成する。次に、四角形の形状で提供され、１インチ（２．６ｃｍ）厚の積層された木材床被覆材料が、弾力性アンダーパッド用被覆として弾力性アンダーパッド上に連結様式で適用されて、体育館競技面を形成する。
【００１８】
この発明が特許請求の範囲の範囲内でさらに展開されてもよいことは、理解されるであろう。したがって、前記の説明は、本発明の効果的な実施形態の単なる例証として読み取られること、かつ厳密に限定的な意味で読み取られないことが望まれる。
本発明に関して、以下の内容を更に開示する。
（１）弾力性床面であって、
発泡ポリプロピレン製品（「ＥＰＰ」）から形成され、かつ地面または他の下張り床面に固定する必要がない浮動式配列で、地面または他の基盤または下張り床面上に直接配置するのに適した弾力性アンダーパッド、と
弾力性アンダーパッド用被覆として弾力性アンダーパッド上に適用される床面被覆材料とを含む弾力性床面。
（２）発泡ポリプロピレン製品（「ＥＰＰ」）から形成された弾力性アンダーパッドが、手で持ち運び可能な複数のパネルの形状で提供され、かつ所望の区域を覆い、エッジ・ツー・エッジ配列で組み立てられる（１）の弾力性床面。
（３）手で持ち運び可能なパネルが、隣接するパネルのエッジを相互に固定するために、連結エッジ配列を含む（２）の弾力性床面。
（４）発泡ポリプロピレン製品（「ＥＰＰ」）から形成された弾力性アンダーパッドが、４フィート×６フィート（１２０ｃｍ×１８０ｃｍ）と４フィート×８フィート（１２０ｃｍ×２４０ｃｍ）の形態からなる群から選ばれた形態で提供される（２）の弾力性床面。
（５）発泡ポリプロピレン製品（「ＥＰＰ」）から形成された弾力性アンダーパッドが、所望の区域を覆って展開されるのに適したロールの形状で供給される（１）の弾力性床面。
（６）ロールが、１２フィート（３．６ｍ）、１６フィート（４．８ｍ）、２０フィート（６．０ｍ）と２４フィート（７．２ｍ）からなる群から選ばれた幅で提供される（５）の弾力性床面。
（７）発泡ポリプロピレン製品（「ＥＰＰ」）から形成された弾力性アンダーパッドが、約１／８インチ〜１２インチ（３ｍｍ〜３０．５ｃｍ）の厚みである（１）の弾力性床面。
（８）発泡ポリプロピレン製品（「ＥＰＰ」）から形成された弾力性アンダーパッドが、約１／２インチ〜４インチ（１３ｍｍ〜１０２ｍｍ）の厚みである（１）の弾力性床面。
（９）発泡ポリプロピレン製品（「ＥＰＰ」）から形成された弾力性アンダーパッドが、概略で約１．１〜２．８ポンド／立方フィート（０．０１８〜０．０４５ｇ／ｃｍ３）の密度である（１）の弾力性床面。
（１０）発泡ポリプロピレン製品（「ＥＰＰ」）から形成された弾力性アンダーパッドが、約１．１〜３．５ポンド／立方フィート（０．０１８〜０．０５６ｇ／ｃｍ３）の密度をもつ連続気泡構造のシートまたはパッドに成形されている（１）の弾力性床面。
（１１）表面被覆が、床表面仕上げ材、スポーツ競技表面仕上げ材、と装飾およびスポーツ表面塗装材からなる群から選ばれた（１）の弾力性床面。
（１２）表面被覆が、広葉樹床張り材、合成ゴムおよび／またはプラスチック床張りタイルおよびパネル、ゴム床張りタイルおよびパネル、積層木材床張り材、住宅用および業務用カーペット、屑ゴム表面塗装材、ＥＰＤＭ（エチレン−プロピレンタポリマー）表面塗装材、とポリウレタン表面塗装材からなる群から選ばれる（１）の弾力性床面。
（１３）表面被覆が、約１／８インチ〜４インチ（３ｍｍ〜１０２ｍｍ）の厚みである（１）の弾力性床面。
（１４）表面被覆が、着色および織物添加物で高められ、弾力性床面の表面外観および／または性能を高める（１）の弾力性床面。
（１５）弾力性床面が、屋内および屋外の両用途に適する（１）の弾力性床面。
（１６）弾力性床面が、地面上および多階層ビルデイング構造内の住宅用および業務用床張り面、屋上膜システム、スポーツおよび運動場特別仕様面、装飾面、快適面、バスケットボール、ラケットボール、スカッシュおよびテニスコート面、ランニングトラック、安全な子供用運動場区域、プール、歩道、と他の娯楽区域、任意のビルデイング内の一般歩行面、と屋上広場および競技面からなる群から選ばれた用途に適する（１）の弾力性床面。
（１７）弾力性床面が、取外し可能かつ交換可能である（１）の弾力性床面。
（１８）弾力性床面であって、
地面または他の下張り床面に固定する必要がない浮動式配列で、所望の区域を覆い、連結エッジ・ツー・エッジ配列で組み立てられた発泡ポリプロピレン製品（「ＥＰＰ」）から形成された手で持ち運び可能な複数のパネル、と
弾力性アンダーパッド用被覆として弾力性アンダーパッド上に適用された表面被覆材料であって、広葉樹床張り材、合成ゴムおよび／またはプラスチック床張りタイルおよびパネル、ゴム床張りタイルおよびパネル、積層木材床張り材、住宅用および業務用カーペット、屑ゴム表面塗装材、ＥＰＤＭ（エチレン−プロピレンタポリマー）表面塗装材とポリウレタン表面塗装材からなる群から選ばれた表面被覆材料とを含む弾力性床面。
（１９）表面被覆が、連続した露出面を形成するように、発泡ポリプロピレン製品（「ＥＰＰ」）から形成された手で持ち運び可能な複数のパネルの隣接するエッジを覆って適用される（１８）の弾力性床面。
（２０）表面被覆が、複数の取外し可能な床面単位を形成するように、発泡ポリプロピレン製品（「ＥＰＰ」）から形成された手で持ち運び可能な複数のパネルのエッジまで適用し、しかもエッジを覆って適用しない（１８）の弾力性床面。
（２１）弾力性床面を取り付ける方法であって、
発泡ポリプロピレン製品（「ＥＰＰ」）から形成された手で持ち運び可能な複数の弾力性アンダーパッドパネルを供給するステップ、
地面または他の下張り床面に固定する必要がない浮動式配列で、地面または他の下張り床面上に直接エッジ・ツー・エッジ配列で、手で持ち運び可能な複数の弾力性アンダーパッドパネルを配列するステップ、と
弾力性アンダーパッド用被覆として、弾力性アンダーパッド上に床被覆材料を適用するステップとを含む方法。
（２２）隣接するパネルエッジを連結させることにより、隣接するアンダーパッドパネルを相互に固定するステップをさらに含む（２１）の弾力性床面を取り付ける方法。
（２３）弾力性アンダーパッド上に床被覆材料を適用するステップが、連続した露出面を形成するように、発泡ポリプロピレン製品（「ＥＰＰ」）から形成された手で持ち運び可能な複数のパネルの隣接するエッジを覆って被覆材料を適用することを含む（２１）の弾力性床面を取り付ける方法。
（２４）弾力性アンダーパッド上に床面被覆を適用するステップが、複数の取外し可能な床面単位を形成するように、発泡ポリプロピレン製品（「ＥＰＰ」）から形成された手で持ち運び可能な複数のパネルのエッジまで被覆材料を適用し、しかもエッジを覆って適用しないことを含む（２１）の弾力性床面を取り付ける方法。
（２５）弾力性床面を取り付ける方法であって、
ロール形状で、発泡ポリプロピレン製品（「ＥＰＰ」）から形成された弾力性アンダーパッドパネルを提供する工程、
地面または他の下張り床面に固定する必要がない浮動式配列で、地面または他の下張り床面上に弾力性アンダーパッドパネルロールを直接展開する工程、と
弾力性アンダーパッド用被覆として弾力性アンダーパッド上に床被覆材料を適用する工程とを含む方法。
【図面の簡単な説明】
【００１９】
【図１】弾力性の、成形された連続気孔を有する発泡ビーズポリプロピレン製アンダーパッドとその上に配置された表面被覆の断面図である。
【図１】
0004461121.tif 000002